(57)【特許請求の範囲】
【請求項１】
円筒形マストの上部にクレーンを備えるタワークレーンを、ステー材を介して建築物に支持する際に用いる、タワークレーン用の水平控であって、
前記クレーンの下部昇降フレームより下方に向けて取り付けられ、作業員が昇降するための昇降設備と、
前記円筒形マストに取り付けられる第一枠と第二枠を有し、それぞれ該円筒形マストの外周を取り囲んで一体となり、前記ステー材を取り付けるための枠体、並びに、前記第一枠の下方に支持される第一足場と、前記第二枠の下方に支持される第二足場とを有し、それぞれ前記円筒形マストの外周を取り囲んで一体となり、作業員が足場として使用するための作業足場、を含む水平枠と、
を含むことを特徴とするタワークレーン用の水平控。
【発明の詳細な説明】
【０００１】
【発明の属する技術分野】
本発明は、主として高層建築に用いるタワークレーンを建築物に支持するために用いる、タワークレーン用の水平控に関する。
【０００２】
【従来の技術】
主として高層建築に用いるタワークレーンＴは、図６に示すように、マスト１１０の上部に、本体１１５Ａと上部昇降フレーム１１５Ｂと下部昇降フレーム１１５Ｃとを含むクレーン１１５が備えられ、建築物１３０の高さが高くなるにつれて、マスト１１０を継ぎ足すと共にクレーン１１５がクライミングして、その塔高を変更するようになっている。
ここで、マスト１１０が自立する塔高は、マスト１１０の断面性能により決まっているため、塔高がそれ以上になった場合には、マスト１１０と建築物１３０とを壁つなぎであるステー材１２０で接続して、タワークレーンＴを建築物１３０に支持し、マスト１１０の最下部に作用する力を低減させる必要がある。
この場合においては、マスト１１０の外周を取り囲む枠体及び作業足場からなる水平枠１４１をマスト１１０の外周に設け、その水平枠１４１と建築物１３０とをステー材１２０を介して接続する「水平控」を採るのが一般的である。
【０００３】
かかる水平控を特に円筒形のマスト１１０に設ける場合は、以下の方法による。なお、円筒形のマスト１１０は、その周壁の対向する二箇所に軸方向に沿って穿設され、クレーン１１５をマスト１１０に支持するためのカンヌキ（図示外）が出入りするカンヌキ孔１１０ａを有する。
▲１▼マスト１１０の最下部において、マスト１１０の外周を取り囲むように、水平枠１４１を地組する。
▲２▼ウインチ等により、地組された水平枠１４１をマスト１１０に沿って所定の高さまで引き上げる。
▲３▼マスト１１０の内部を通った作業員が、カンヌキ孔１１０ａから這い出し、引き上げられた水平枠１４１の作業足場に乗り移る。
▲４▼作業足場に乗っている作業員が、上方のカンヌキ孔１１０ａや下部昇降フレーム１１５Ｃを利用して、水平枠１４１をマスト１１０に固定する。
▲５▼タワークレーンＴにより、ステー材１２０を吊り上げ、建築物１３０と水平枠１４１とをステー材１２０を介して接続し、タワークレーンＴを建築物１３０に支持する。
【０００４】
【発明が解決しようとする課題】
しかし、前記のような方法で水平枠を円筒形マストに設ける場合には、以下のような問題があった。
（１）二段以上の水平枠を円筒形マストに取り付ける場合において、図６に示すように、既設の水平枠１４１Ａが円筒形マストに取り付けられていると、新たな水平枠１４１Ｂを地組して引き上げる際に既設の水平枠１４１Ａが障害となるため、新たな水平枠１４１Ｂを既設の水平枠１４１Ａよりも上方に設けることができない。
（２）作業員が水平枠の作業足場に乗り移る場合において、円筒形マストの内部を通って狭いカンヌキ孔（一般的にφ３８０以下）から這い出さなければならないが、鋼管構造の円筒形マストには（トラス構造の角形マストと違って）足がかりがないため、その乗り移りが容易でなく危険を伴う。
【０００５】
そこで、本発明は、既設の水平枠よりも上方に設けることができ、作業員が作業足場に容易かつ安全に乗り移ることができるような、タワークレーン用の水平控を提供することを課題とする。
【０００６】
【課題を解決するための手段】
本発明は、前記課題を達成すべく提供されるものであり、その請求項１に係る発明は（例えば図１及び図２参照）、『円筒形マスト１０の上部にクレーン１５を備えるタワークレーンＴを、ステー材２０を介して建築物３０に支持する際に用いる、タワークレーン用の水平控であって、／クレーン１５の下部昇降フレーム１５Ｃより下方に向けて取り付けられ、作業員が昇降するための昇降設備４０と、／円筒形マスト１０に取り付けられる第一枠４２Ａと第二枠４２Ｂを有し、それぞれ円筒形マスト１０の外周を取り囲んで一体となり、ステー材２０を取り付けるための枠体４２、並びに、第一枠４２Ａの下方に支持される第一足場４５Ａと、第二枠４２Ｂの下方に支持される第二足場４５Ｂとを有し、それぞれ円筒形マスト１０の外周を取り囲んで一体となり、作業員が足場として使用するための作業足場４５と、を含む水平枠４１と、／を含むことを特徴とするタワークレーン用の水平控』である。
【０００７】
かかるタワークレーン用の水平控によれば、（１）第一枠４２Ａ及び第一足場４５Ａからなる第一水平枠４１Ａと、第二枠４２Ｂ及び第二足場４５Ｂからなる第二水平枠４１Ｂと、に分割して形成される水平枠４１を含むので、両者を分割状態のままで引き上げ、両者をその後に接合することで、既設の水平枠よりも上方に新たな水平枠を設けることができ、（２）下部昇降フレーム１５Ｃに取り付けられる昇降設備４０を含むので、作業員が作業足場４５に容易かつ安全に乗り移ることができる。
【０００８】
【発明の実施の形態】
以下、本発明に係るタワークレーン用の水平控における好適な実施の形態に関し、図面を参照しつつ詳細に説明する。
【０００９】
１．タワークレーン用の水平控の構成
まず、タワークレーン用の水平控の構成について、（１）前提構成と（２）特徴構成に分けて説明する。
【００１０】
（１）前提構成
タワークレーン用の水平控は、図１及び図２に示すように、円筒形マスト１０の上部にクレーン１５を備えるタワークレーンＴを、ステー材２０を介して建築物３０に支持する際に用いるものである。
【００１１】
円筒形マスト１０は、図１及び図２に示すように、クレーン１５を支持するものであり、所定長さの中空鋼管が施工対象である建築物３０の高さに応じて適宜接合されてなる。
この円筒形マスト１０は、その周壁の対向する二箇所に軸方向に沿って穿設され、クレーン１５を円筒形マスト１０に支持するためのカンヌキ（図示外）が出入りするカンヌキ孔１０ａを有し、またその周壁の等間隔の四箇所に軸方向に沿って付設され、円筒形マスト１０に作用する力を水平枠４１のインナー材４３に伝達するためのガイドアングル１０ｂを有し、さらにその内部に、作業員が地上とクレーン本体との間を往来するためのマスト内エレベータ１０ｃを有する。
【００１２】
クレーン１５は、円筒形マスト１０の上部に備えられ、ジブ，ブーム，クライミングジャッキ，上下の昇降フレーム等を有する。ここでは図１に示すように、クレーン１５の最下部にある下部昇降フレーム１５Ｃが、円筒形マスト１０の上部に位置している。
【００１３】
ステー材２０は、図１及び図２に示すように、建築物３０と水平枠４１とを接続し、タワークレーンＴを建築物３０に支持するためのものである。
このステー材２０は、その上面に、作業員が建築物３０と水平枠４１との間を往来するための歩廊２０ａを有し、その両側面に、作業員の安全を確保するための手摺２０ｂを有する。
【００１４】
（２）特徴構成
タワークレーン用の水平控は、図１及び図２に示すように、▲１▼昇降設備４０と、▲２▼枠体４２並びに作業足場４５を含む水平枠４１と、を含むものである。
【００１５】
▲１▼昇降設備４０は、図１に示すように、クレーン本体の下部昇降フレーム１５より下方に向けて取り付けられ、作業員が昇降するためのものである。
この昇降設備４０は、作業員が昇降するためのステップ４０ａと、作業員の安全を確保するためのカゴ４０ｂと、昇降設備４０を下部昇降フレーム１５Ｃに固着するためのブラケット４０ｃと、からなる。
【００１６】
▲２▼水平枠４１の枠体４２は、図１及び図２に示すように、円筒形マスト１０のカンヌキ孔１０ａに取り付けられる第一枠４２Ａと第二枠４２Ｂを有し、それぞれ円筒形マスト１０の外周を取り囲んで一体となり、ステー材２０が取り付けられるものである。この実施の形態では、第一枠４２Ａと第二枠４２Ｂは、それぞれ１／２ずつ円筒形マスト１０の外周を取り囲んで一体となるように構成されているので、両者はほぼ同様の構成を有する。従って、以下においては、第一枠４２Ａについてのみ説明する。
【００１７】
この第一枠４２Ａは、図２に示すように、鋼材により平面視で「コ」字状を成すように形成され、その両端部には、第二枠４２Ｂを接合するための接合板４２ａを有し、その両折曲部の外側には、ステー材２０を接続するための接合板４２ｂを有する。
この第一枠４２Ａの両折曲部の内側には、図１及び図２に示すように、アングル材により形成され、ガイドアングル１０ｂに当接し、円筒形マスト１０に作用する力を枠体４２を介してステー材２０に伝達するためのインナー材４３，４３が取り付けられている。
また一対のインナー材４３，４３の間には、図１及び図２に示すように、鋼材により形成され、インナー材４３，４３同士を接続するための継ぎ材４４が取り付けられている。この継ぎ材４４は、図３（ｂ）及び図５に示すように、その中央部に、カンヌキ孔１０ａと嵌合する突起部４４ａを有し、また突起部４４ａの先端に、カンヌキ孔１０ａと嵌合する際に手鉤を引っかけて突起部４４ａを引き込むための吊り環４４ｂを有し、さらにカンヌキ孔１０ａと嵌合した後に突起部４４ａの先端に取り付けられるカンザシ金物４４ｃを有する。
【００１８】
水平枠４１の作業足場４５は、図１及び図４に示すように、第一枠４２Ａの下方に支柱４５ｃを介して支持される第一足場４５Ａと、第二枠４２Ｂの下方に支柱４５ｃを介して支持される第二足場４５Ｂとを有し、それぞれ円筒形マスト１０の外周を取り囲んで一体となり、作業員が足場として使用するためのものである。この実施の形態では、第一足場４５Ａと第二足場４５Ｂも、それぞれ１／２ずつ円筒形マスト１０の外周を取り囲んで一体となるように構成されているので、両者はほぼ同様の構成を有する。従って、以下においては、第一足場４５Ａについてのみ説明する。
この第一足場４５Ａは、作業員が作業を行うための足場４５ａと、作業員の安全を確保するための手摺４５ｂと、第一足場４５Ａを第一枠４２Ａの下方に吊り下げて支持するための支柱４５ｃと、からなる。
【００１９】
なお、水平枠４１は、取り付けの便宜のために、第一枠４２Ａと第一足場４５Ａとを予め一体化してなる第一水平枠４１Ａと、第二枠４２Ｂと第二足場４５Ｂとを予め一体化してなる第二水平枠４１Ｂと、に分割して形成するのが好ましい。
【００２０】
２．タワークレーン用の水平控の取り付け
次に、タワークレーン用の水平控の取り付けについて、各手順に分けて説明する。
【００２１】
（１）昇降設備４０の取り付け
▲１▼クレーンにより、玉掛けされた昇降設備４０を吊り上げる。
▲２▼図１に示すように、下部昇降フレーム１５Ｃにブラケット４０ｃを介して昇降設備４０を取り付ける。
▲３▼取り付け後に、昇降設備４０の玉掛けを取り外す。
【００２２】
（２）第一水平枠４１Ａの取り付け
▲１▼円筒形マスト１０の最下部において、第一枠４２Ａと第一足場４５Ａとを予め一体化して、第一水平枠４１Ａを地組する。
▲２▼図３（ａ）に示すように、クレーンにより、玉掛けされた第一水平枠４１Ａを吊り上げる。ここで第一水平枠４１Ａは、円筒形マスト１０を囲繞していないため、既設の水平枠を回避でき、また水平枠４１の１／２であるため、重量が軽く吊り上げが容易である。
▲３▼マスト内エレベータ１０ｃ（図５）の屋上に乗っている作業員甲が、図３（ｂ）に示すように、吊り環４４ｂに手鉤を引っかけてカンヌキ孔１０ａに突起部４４ａを引き込み、突起部４４ａの先端にカンザシ金物４４ｃを取り付ける。
▲４▼作業員乙が、昇降設備４０を利用して第一水平枠４１Ａに乗り移る。ここで作業員乙は、昇降設備４０を利用することにより、容易かつ安全に第一水平枠４１Ａに乗り移ることができる。
▲５▼第一水平枠４１Ａに乗っている作業員乙が、図１に示すように、下部昇降フレーム１５Ｃにチェーンブロック１６を介して第一水平枠４１Ａを支持する（これにより、図４及び図５の実線で示す状態になる）。
▲６▼取り付け後に、第一水平枠４１Ａの玉掛けを取り外す。
【００２３】
（３）第二水平枠４１Ｂの取り付け
▲１▼円筒形マスト１０の最下部において、第二枠４２Ｂと第二足場４５Ｂとを予め一体化して、第二水平枠４１Ｂを地組する。
▲２▼クレーンにより、玉掛けされた第二水平枠４１Ｂを吊り上げる。ここで第二水平枠４１Ｂも、円筒形マスト１０を囲繞していないため、既設の水平枠を回避することができ、また水平枠４１の１／２であるため、重量が軽く吊り上げが容易である。
▲３▼マスト内エレベータ１０ｃ（図５）の屋上に乗っている作業員甲が、図３（ｂ）に示すように、吊り環４４ｂに手鉤を引っかけてカンヌキ孔１０ａに突起部４４ａを引き込み、突起部４４ａの先端にカンザシ金物４４ｃを取り付ける。
▲４▼作業員乙が、第一水平枠４１Ａから第二水平枠４１Ｂに乗り移る。
▲５▼第二水平枠４１Ｂに乗っている作業員乙が、下部昇降フレーム１５Ｃにチェーンブロック１６を介して第二水平枠４１Ｂを支持すると共に、枠体４２の接合板４２ａ同士をピンで接合することにより、第一水平枠４１Ａと第二水平枠４１Ｂとを一体化し、水平枠４１を形成する（これにより、図４及び図５の実線及び点線で示す状態になる）。
▲６▼取り付け後に、第二水平枠４１Ｂの玉掛けを取り外す。
【００２４】
（４）ステー材２０の取り付け
▲１▼クレーンにより、玉掛けされたステー材２０を吊り上げる。
▲２▼水平枠４１に乗っている作業員乙が、枠体４２の接合板４２ｂとステー材２０とをピンで接合し、建築物３０側にいる作業員丙が、建築物３０の鉄骨とステー材２０とをピンで接合し、建築物３０と水平枠４１とをステー材２０を介して接続して、タワークレーンＴを建築物３０に支持する（これにより図１及び図２に示す状態になる）。
▲３▼取り付け後に、ステー材２０の玉掛けを取り外す。
【００２５】
以上のように構成される水平控においては、円筒形マスト１０に作用する力は、ガイドアングル１０ｂ→水平枠４１（インナー材４３→枠体４２）→ステー材２０という経路を経て建築物３０に伝達されるので、円筒形マスト１０の最下部に作用する力を低減することができる。
【００２６】
【発明の効果】
以上のように構成される本発明に係るタワークレーン用の水平控によれば、（１）第一枠及び第一足場からなる第一水平枠と、第二枠及び第二足場からなる第二水平枠と、に分割して形成される水平枠を含むので、両者を分割状態のままで引き上げ、両者をその後に接合することで、既設の水平枠よりも上方に新たな水平枠を設けることができ、（２）下部昇降フレームに取り付けられる昇降設備を含むので、作業員が作業足場に容易かつ安全に乗り移ることができる。
【図面の簡単な説明】
【図１】本発明に係るタワークレーン用の水平控を示す正面図である。
【図２】本発明に係るタワークレーン用の水平控を示す平面図である。
【図３】（ａ）は第一水平枠を吊り上げている状態を示す斜視図であり、（ｂ）はカンヌキ孔と突起部との嵌合状態を示す平面図である。
【図４】本発明に係るタワークレーン用の水平控の取り付けを示す拡大側面図である。
【図５】本発明に係るタワークレーン用の水平控の取り付けを示す拡大平面図である。
【図６】従来のタワークレーンを示す正面図である。
【符号の説明】
Ｔ        タワークレーン
１０        円筒形マスト
１５                クレーン
１５Ｃ      下部昇降フレーム
２０        ステー材
３０        建築物
４０        昇降設備
４１        水平枠
４１Ａ            第一水平枠
４１Ｂ            第二水平枠
４２        枠体
４２Ａ      第一枠
４２Ｂ      第二枠
４５        作業足場
４５Ａ      第一足場
４５Ｂ      第二足場
【図１】
0003567425.tif 000002
【図２】
0003567425.tif 000003
【図３】
0003567425.tif 000004
【図４】
0003567425.tif 000005
【図５】
0003567425.tif 000006
【図６】
0003567425.tif 000007